(57)【要約】【課題】  シンプルな構造であり歯ブラシ、ボールペン、箸などの小物を設置場所に容易かつ安定して取り付けることができる清潔な小物入れを提供する。【解決手段】  底部を有する筒状の本体１を構成し、この底部１１と本体１の側面１４に取付孔１２、取付孔１５を穿設し、前記取付孔１２、取付孔１５に本体１を設置場所に固定するため固定手段２２を備えた固定具２を着脱自在に取り付けると共に、前記底部１１に水抜き用の小孔１３を形成した小物入れ。【選択図】図２
0003155398.tif 000002
【実用新案登録請求の範囲】
【請求項１】
筒状の本体に底部を構成し、この底部と本体の側面に取付孔を穿設し、前記取付孔に、本体を設置場所に固定するための固定手段を備えた固定具を着脱自在に取り付けた小物入れ。
【請求項２】
前記固定具の固定手段を吸盤で構成すると共に、前記底部に水抜き用の小孔を形成したことを特徴とする請求項１記載の小物入れ。
【考案の詳細な説明】
【技術分野】
【０００１】
本考案は、歯ブラシなどの小物を台の上や壁面などに安定して固定できる小物入れに関するものである。
【背景技術】
【０００２】
従来より、歯ブラシはコップなどに立てて収納されていたため、歯ブラシに付いた水滴がコップの底に溜まり不衛生であった。また、コップなどは洗面台の上に置かれていて、不安定でもあった。
このような問題点を解決するために次の考案や発明が提案されていた。
特許文献１に示すものは、器の高台（１）の上面に溝（２）を設け、この器の内部の底に溝（２）に通じる穴（３）を設けてなる歯ブラシ立て器である。
また、特許文献２に示すものは、容器（１１）の側面にはバネ部材（９）と押さえ部（７）と受け部（８）からなるクリップ（５）が配置されており、筒状部（２）の開口部（４）の内側形状を上方に延長した空間とクリップ（５）が、互いに干渉しない位置関係に配置された小物入れである。
【先行技術文献】
【特許文献】
【０００３】
【特許文献１】実用新案登録３１４０７３７号公報
【特許文献２】特開２００５−３０４８０８号公報
【０００４】
前記の特許文献１の考案によれば、歯ブラシについて水滴が器内部の底に溜まり不衛生であったという問題点を解決するものであったが、器に歯ブラシを立てた場合に、歯ブラシが斜めに立てられ不安定になったり歯ブラシごとコップをひっくり返してしまう恐れがあった。
前記の特許文献２の発明によれば、歯ブラシ立ての不安定さを解決するもので、より多くの歯ブラシを立てる場合、必要な数の小物入れを適当な場所にクリップで留めて立てればよいので、置く場所の確保に手間取らないと共に、歯ブラシを立てる場合、安定して立てることができるという効果が得られる。
【考案の概要】
【考案が解決しようとする課題】
【０００５】
前記特許文献２記載の発明では、歯ブラシを安定して立てることができるが、クリップを使用するため構成が複雑となり、かつクリップを固定する物が必要であるため、台に立てることができない等、設置場所が限定されるという問題点があった。
【課題を解決するための手段】
【０００６】
本考案の要旨とするところは、筒状の本体に底部を構成し、この底部と本体の側面に取付孔を穿設し、前記取付孔に、本体を設置場所に固定するための固定手段を備えた固定具を着脱自在に取り付けた小物入れである。
【０００７】
本考案の要旨とするところは、前記固定具の固定手段を吸盤で構成すると共に、前記底部に水抜き用の小孔を形成した小物入れである。
【考案の効果】
【０００８】
請求項１の考案によれば、シンプルな構造であり歯ブラシなどの小物を収納した本体を固定具によって設置場所に容易に取り付けることができる。固定具は、取り付け取り外し可能であるから、用途によって本体の底部と側面とに自由に付け替えることができるため、設置場所の自由度が大きいのである。
【０００９】
請求項２の考案によれば、本体を吸盤を用いて設置場所に取り付けることができるため、より安定して固定される。さらに、底部に水抜き用の小孔を形成したため、本体底部に水が溜まらず清潔である。
【図面の簡単な説明】
【００１０】
【図１】第１実施例の斜視図
【図２】第１実施例の使用態様を示す中央縦断面図
【図３】第２実施例の斜視図
【図４】第２実施例の中央縦断面図
【図５】第２実施例の平面図
【図６】第２実施例の使用態様図
【考案を実施するための形態】
【００１１】
本考案を実施するための形態は、筒状の本体の下部に底部を構成し、この底部と本体の側面に取付孔を穿設し、前記底部の取付孔に、本体を設置場所に固定するための吸盤からなる固定具を着脱自在に取り付けると共に、前記底部に水抜き用の小孔を形成した小物入れである。
【実施例】
【００１２】
本考案の実施例を図に基づいて説明する。
図１は本考案の第１実施例の斜視図、図２は同使用態様を示す中央縦断面図、図３は第２実施例の斜視図、図４は同中央縦断面図、図５は同平面図及び図６は同使用態様図である。
【００１３】
第１実施例は図１及び図２に示すもので、小物入れの本体１は円筒状であり下部に底部１１が構成されている。この底部１１に、本体１を洗面台１０などの設置場所に固定するための固定具２を取り付けるための取付孔１２が穿設されている。
【００１４】
さらに本体１の側面１４にも本体１を壁面などの設置場所に固定するための固定具２を取り付けるための取付孔１５を穿設すると共に、底部１１には本体１に溜まった水を抜くための水抜き用の小孔１３を複数構成する。
【００１５】
前記固定具２は、取付孔１２あるいは取付孔１５に着脱自在に取り付けるための留め部２１と固定手段である吸盤２２からなる。この固定手段は吸盤２２に限らず、両面テープ等の公知の固定手段を採用できる。
【００１６】
上記のように構成した本実施例の作用を説明する。
図１、２に示すように、固定具２を底部１１の取付孔１２に取り付け、本体１内に歯ブラシ２０を入れて洗面台１０の上に固定する。このとき、本体１は吸盤２２の作用で簡単、強固に固定され設置場所も自由に変更することができる。
【００１７】
このように本実施例では、歯ブラシを洗面台に吸盤で取り付けられるため、簡単に安定して固定できる。さらにお洒落な感覚で使用でき嵩張らないため携帯も容易である。さらに水抜き用の小孔１３の作用で本体１内に不要な水がたまらず清潔である。
また本体には歯ブラシに限らず、ボールペン、箸などの小物も収容することができる。
【００１８】
第２実施例は図３ないし図６に示すもので、固定具２を本体１の側面１４の取付孔１５に取り付けて使用するものである。取付孔１５は取付孔１２と同じ大きさである。この実施例は、図６に示すように壁面あるいは鏡面などの垂直面２１に安定して取り付けることができる。
【００１９】
このように固定具２は取付孔１２、１５に対して着脱自在であるから、水平面や垂直面など設置場所を選ばずに、本体１を自由に設置できるのである。
【産業上の利用可能性】
【００２０】
本考案は、歯ブラシ、ボールペン、箸などの小物を、設置場所に制限されずに、簡単に安定した状態で固定することができる小物入れに適用できるものである。
【符号の説明】
【００２１】
１  本体
２  固定具
１１  底部
１０  洗面台（設置場所）
１２  取付孔
１３  水抜き用の小孔
１４  側面
１５  取付孔
２２  吸盤（固定手段）
【図１】
0003155398.tif 000003
【図２】
0003155398.tif 000004
【図３】
0003155398.tif 000005
【図４】
0003155398.tif 000006
【図５】
0003155398.tif 000007
【図６】
0003155398.tif 000008